(57)【要約】【課題】所定場所に存在する複数の携帯端末の認証を容易に行う。【解決手段】情報配信システムは、情報配信装置とスピーカと携帯端末とを備える。携帯端末は、集音部と通信インタフェース部と制御部とを備える。集音部は、携帯端末の周囲環境の音声を集音して集音音声情報を生成する。制御部は、通信インタフェース部を介して、集音部が生成した音声情報を情報配信装置へ送信すると共に、情報配信装置から画像情報を受信する。情報配信装置は、通信インタフェース部と制御部と記憶部とを備える。記憶部は、スピーカに出力させた音声に関する入力音声情報を記憶する。制御部２２は、通信インタフェース部を介して、集音音声情報を受信し、携帯端末へ画像情報を送信する。また、制御部は、携帯端末から受信した集音音声情報と、情報配信装置の記憶部に記憶した入力音声情報とを照合して、携帯端末の認証を行う。【選択図】図１
2014146263.tif 000002
【特許請求の範囲】
【請求項１】
情報配信装置とスピーカと携帯端末とを有し、所定エリアに存在する前記携帯端末に配信情報を配信する情報配信システムであって、
前記携帯端末は、
周囲環境の音声を集音して集音音声情報を生成する集音部と、
前記集音音声情報を、前記情報配信装置に向けて送信する集音音声送信部と、
前記情報配信装置から前記配信情報を受信する配信情報受信部と、を備え、
前記スピーカは、接続機器から入力された入力音声情報に応じて、前記所定エリアに音声出力を行い、
前記情報配信装置は、
前記入力音声情報を記憶する音声情報記憶部と、
前記集音音声送信部が送信した前記集音音声情報を受信する集音音声受信部と、
前記集音音声受信部が受信した前記集音音声情報を、前記入力音声情報と照合して、前記携帯端末の認証を行い、前記配信情報を配信する対象とするか否かを判断する認証部と、
前記認証部により前記配信情報を配信する対象と判断された前記携帯端末に向けて前記配信情報を送信する配信情報送信部と、を備えることを特徴とする情報配信システム。
【請求項２】
請求項１に記載の情報配信システムにおいて、
前記入力音声情報は、可聴域外の音声に関する情報を含むことを特徴とする情報配信システム。
【請求項３】
請求項１または２に記載の情報配信システムにおいて、
前記情報配信装置は、前記接続機器であって、
前記入力音声情報を生成する入力音声生成部と、
前記入力音声生成部が生成した前記入力音声情報を、前記スピーカに出力する音声情報出力部とを更に備え、
前記音声情報記憶部は、前記音声情報出力部が前記スピーカに出力した前記入力音声情報を所定時間の間記憶することを特徴とする情報配信システム。
【請求項４】
請求項１から３のいずれか一項に記載の情報配信システムにおいて、
カメラを更に備え、
前記カメラは、
被写体像を撮像して画像情報を出力する撮像部と、
前記配信情報として、前記画像情報を前記情報配信装置へ送信する画像情報送信部と、
を備えることを特徴とする情報配信システム。
【請求項５】
請求項１または２に記載の情報配信システムにおいて、
カメラを更に備え、
前記カメラは、前記接続機器であって、
被写体像を撮像して画像情報を出力する撮像部と、
前記配信情報として、前記画像情報を前記情報配信装置へ送信する画像情報送信部と、
前記スピーカに前記入力音声情報を出力する音声情報出力部と、
前記入力音声情報を、前記情報配信装置へ送信する音声情報送信部と、
を備え、
前記情報配信装置は、
前記音声情報送信部が送信した前記入力音声情報を受信する音声情報受信部を更に備え、
前記音声情報記憶部は、前記音声情報受信部が受信した前記入力音声情報を所定時間の間記憶することを特徴とする情報配信システム。
【発明の詳細な説明】
【技術分野】
【０００１】
本発明は情報配信システムに関する。
【背景技術】
【０００２】
サービスを利用する携帯端末がネットワークを介して送信する発行要求に応じて、認証装置が期限付き認証情報を携帯端末に送信して、その期限付き認証情報に基づいて携帯端末の認証を行う認証システムが知られている。（例えば、特許文献１参照）。
【先行技術文献】
【特許文献】
【０００３】
【特許文献１】特開２００９―２７７０５１号公報
【発明の概要】
【発明が解決しようとする課題】
【０００４】
所定場所に存在する複数の携帯端末を認証してサービスを提供する場合に、従来技術では、複数の携帯端末から認証情報の発行要求を行い、各携帯端末に対して個別に認証情報を送信する必要があり、煩雑である。
【課題を解決するための手段】
【０００５】
本発明に係る情報配信システムは、情報配信装置とスピーカと携帯端末とを有し、所定エリアに存在する携帯端末に配信情報を配信する情報配信システムであって、携帯端末は、周囲環境の音声を集音して集音音声情報を生成する集音部と、集音音声情報を、情報配信装置に向けて送信する集音音声送信部と、情報配信装置から配信情報を受信する配信情報受信部と、を備え、スピーカは、接続機器から入力された入力音声情報に応じて、所定エリアに音声出力を行い、情報配信装置は、入力音声情報を記憶する音声情報記憶部と、集音音声送信部が送信した集音音声情報を受信する集音音声受信部と、前記集音音声受信部が受信した前記集音音声情報を、前記入力音声情報と照合して、携帯端末の認証を行い、配信情報を配信する対象とするか否かを判断する認証部と、認証部により配信情報を配信する対象と判断された携帯端末に向けて配信情報を送信する配信情報送信部と、を備えることを特徴とする。
【発明の効果】
【０００６】
本発明による情報配信システムでは、容易に所定場所に存在する複数の携帯端末を認証することができる。
【図面の簡単な説明】
【０００７】
【図１】（ａ）本発明の第１の実施の形態による情報配信システムのブロック構成図である。（ｂ）本発明の第１の実施の形態による情報配信システムを施設に設けた場合の配置例を示す図である。
【図２】本発明の第１の実施の形態による情報配信システムを構成する設置カメラのブロック構成図である。
【図３】本発明の第１の実施の形態による情報配信システムを構成する情報配信装置のブロック構成図である。
【図４】本発明の第１の実施の形態による情報配信システムを構成する携帯端末のブロック構成図である。
【図５】情報配信システムのサービス提供エリアに音場を生成する処理に関するフローチャートである。
【図６】本発明の第１の実施の形態による情報配信システムの動作を示すシーケンス図である。
【図７】本発明の第１の実施の形態による携帯端末の認証処理に関するフローチャートである。
【図８】（ａ）本発明の第２の実施の形態による情報配信システムのブロック構成図である。（ｂ）本発明の第２の実施の形態による情報配信システムを施設に設けた場合の配置例を示す図である。
【図９】本発明の第２の実施の形態による情報配信システムを構成する設置カメラのブロック構成図である。
【図１０】本発明の第２の実施の形態による情報配信システムを構成する情報配信装置のブロック構成図である。
【図１１】本発明の第２の実施の形態による情報配信システムを構成する携帯端末のブロック構成図である。
【図１２】本発明の第２の実施の形態による情報配信システムの動作を示すシーケンス図である。
【図１３】本発明の第２の実施の形態による携帯端末の認証処理に関するフローチャートである。
【図１４】本発明の一変形例による情報配信システムのブロック構成図である。
【図１５】本発明の一変形例による情報配信システムのサービス提供エリアに音場を生成する処理に関するシーケンス図である。
【発明を実施するための形態】
【０００８】
―第１の実施の形態―
図１（ａ）は、本発明の第１の実施の形態による情報配信システムのブロック構成図である。情報配信システム１は、設置カメラ１０と、情報配信装置２０と、スピーカ３０と、携帯端末４０とを備える。情報配信システム１は、図１（ｂ）に示すように、スタジアム、劇場、イベントホールなどの施設９０に設けられ、設置カメラ１０により撮影された画像情報を携帯端末４０へ配信するサービスを提供する。
【０００９】
設置カメラ１０は、情報配信システム１が設けられた施設９０の所定場所（例えば、イベント会場の天井、壁など）に設置されている。情報配信システム１は、設置カメラ１０を複数個備えていてもよい。設置カメラ１０は、施設で行われている各種イベントなどを撮影する。設置カメラ１０は、情報配信装置２０と接続されており、情報配信装置２０との間で情報の送受信を行う。
【００１０】
情報配信装置２０は、情報配信システム１のサービスを提供するサーバ装置である。情報配信装置２０は、設置カメラ１０、スピーカ３０、および携帯端末４０と接続されている。情報配信装置２０は、設置カメラ１０および携帯端末４０の各々との間で情報の送受信を行う。また、情報配信装置２０は、スピーカ３０に音声情報を送信する。なお、図１（ｂ）では、情報配信装置２０は、施設９０の外部に設置されているが、施設９０の内部に設置されてもよい。
【００１１】
スピーカ３０は、情報配信システム１が設けられた施設９０の所定場所（例えば、イベント会場の天井、壁など）に設置されている。スピーカ３０は、情報配信装置２０から入力された音声情報に応じた音声を出力して、情報配信システム１のサービス提供エリア９１に音場を作る。スピーカ３０は、サービス提供エリア９１の全域でマイクロフォンなどにより集音できる音量で音声を出力する。情報配信システム１は、スピーカ３０の作った音場の範囲内に存在する携帯端末４０に対して、設置カメラ１０により撮影された画像情報を配信する。携帯端末４０がスピーカ３０の作った音場の範囲内に存在するか否かは、後述する認証処理により情報配信装置２０が判別する。
【００１２】
携帯端末４０は、情報配信システム１のサービスを利用するユーザが所有する可搬式の情報端末であって、例えばラップトップＰＣなどのパーソナルコンピュータ、携帯電話、スマートフォン、デジタルカメラ、マルチメディアプレーヤなどである。携帯端末４０は、情報配信装置２０と接続されている。情報配信装置２０には、複数個の携帯端末４０が同時に接続することができる。
【００１３】
図２は、設置カメラ１０に関するブロック構成図である。設置カメラ１０は、レンズ１１と撮像素子１２と画像処理部１３と通信インタフェース部１４と制御部１５と記憶部１６とを備える。
【００１４】
レンズ１１は、撮像素子１２の撮像面に被写体像を結像する。撮像素子１２は、撮像面に結像した被写体像を撮像して、撮像信号を画像処理部１３へ出力する。画像処理部１３は、アナログ前処理回路（不図示）、ＡＤコンバータ（不図示）などを備える。アナログ前処理回路は、撮像信号に対してノイズ除去や信号増幅などの処理を行い、画像信号を出力する。ＡＤコンバータは、画像信号をデジタル画像信号に変換する。画像処理部１３は、デジタル画像信号に対してホワイトバランスの調整や画像圧縮などの画像処理をさらに行い、静止画像または動画像の画像データを生成する。
【００１５】
通信インタフェース部１４は、設置カメラ１０が情報配信装置２０との間で情報の送受信を行う際に用いられる。例えば、設置カメラ１０は、デジタル画像信号や静止画像または動画像の画像データなどの画像情報を情報配信装置２０へ送信する。
【００１６】
制御部１５は、ＣＰＵ、ＲＡＭ、ＲＯＭ（いずれも不図示）等を有し、ＲＯＭ等に記憶された制御プログラムをＲＡＭで実行することにより設置カメラ１０の各部の制御を行う。
【００１７】
記憶部１６は、例えばフラッシュメモリなどで構成され、設置カメラ１０に関するカメラ情報等が記憶されている。カメラ情報には、設置カメラ１０の識別情報が少なくとも含まれる。また、カメラ情報には、可聴域外の周波数成分を有する音声情報が含まれる。
【００１８】
図３は、情報配信装置２０に関するブロック構成図である。情報配信装置２０は、通信インタフェース部２１と制御部２２と記憶部２３とを備える。通信インタフェース部２１は、情報配信装置２０が設置カメラ１０、スピーカ３０、および携帯端末４０との間で情報の送受信を行う際に用いられる。制御部２２は、ＣＰＵ、ＲＡＭ、ＲＯＭ（いずれも不図示）等を有し、ＲＯＭ等に記憶された制御プログラムをＲＡＭで実行することにより、携帯端末４０の認証処理などを行う。
【００１９】
記憶部２３は、例えばハードディスク、フラッシュメモリなどで構成され、設置カメラ１０から送信された画像情報、スピーカ３０へ出力した音声情報などが記憶されている。また、記憶部２３には、カメラ情報データベース２３１が記憶されている。カメラ情報データベース２３１には、情報配信システム１に備わる設置カメラ１０のカメラ情報が予め登録されている。
【００２０】
図４は、携帯端末４０に関するブロック構成図である。携帯端末４０は、通信インタフェース部４１と制御部４２と記憶部４３と操作部４４と表示部４５と集音部４６とを備える。通信インタフェース部４１は、携帯端末４０が情報配信装置２０との間で情報の送受信を行う際に用いられる。制御部４２は、ＣＰＵ、ＲＡＭ、ＲＯＭ（いずれも不図示）等を有し、ＲＯＭ等に記憶された制御プログラムをＲＡＭで実行することにより、携帯端末４０の各部の制御を行う。
【００２１】
記憶部４３は、例えばフラッシュメモリなどで構成され、情報配信装置２０から配信された画像情報、携帯端末４０に関する端末情報などが記憶されている。端末情報には、携帯端末４０の識別情報が少なくとも含まれる。また、記憶部４３には、情報配信システム１のサービスを利用するためのアプリケーションソフトウェアのプログラム（以降、サービスアプリケーションと称する）が予めインストールされている。
【００２２】
操作部４４は、例えばスイッチやタッチパネルなどの操作部材であって、携帯端末４０を操作する際に用いられる。表示部４５は、液晶式の表示モニタなどである。ユーザは、表示部４５に表示される操作画面を見ながら携帯端末４０を操作することができる。また、表示部４５には、情報配信装置２０から送信された画像情報に応じた画像を表示することができる。
【００２３】
集音部４６は、携帯端末４０の周囲環境の音声を集音する。集音部４６が集音した音声は、電気信号に変換されて音声情報として制御部４２へ送信される。図１（ｂ）のように情報配信システム１のサービス提供エリア９１の内側に携帯端末４０が存在する場合、集音部４６によりスピーカ３０の出力音声を集音する。
【００２４】
図５は、情報配信システム１のサービス提供エリア９１に音場を作るための音場作成処理に関するフローチャートである。図５に示す音場作成処理は、情報配信装置２０の制御部２２により実行される。
【００２５】
ステップＳ１００では、制御部２２は、記憶部２３から設置カメラ１０のカメラ情報を読み出す。前述したとおり、カメラ情報には、可聴域外の周波数成分を有する音声情報が含まれる。
【００２６】
ステップＳ１０１では、制御部２２は、カメラ情報の音声情報に基づいて、スピーカ３０へ入力する入力音声情報を生成する。例えば、情報配信システム１が設けられた施設９０に流す放送音声、案内音声、背景音楽などに、カメラ情報の音声情報を重畳して入力音声情報を生成する。なお、情報配信システム１が設けられた施設に流す放送音声、案内音声、背景音楽などが存在しない場合は、カメラ情報の音声情報が入力音声情報となる。
【００２７】
ステップＳ１０２では、制御部２２は、ステップＳ１０１で生成した入力音声情報をスピーカ３０へ入力する。スピーカ３０がこの入力音声情報に応じた音声を出力することにより、情報配信システム１のサービス提供エリアに音場が作られる。
【００２８】
ステップＳ１０３では、制御部２２は、スピーカ３０へ入力した入力音声情報を記憶部２３に一時記憶する。記憶部２３に一時記憶された入力音声情報は、所定時間経過後に削除される。記憶部２３に一時記憶された入力音声情報は、携帯端末４０の認証処理に用いられる。情報配信システム１では、古い入力音声情報を記憶部２３から削除することで、スピーカ３０から音声を出力したときにサービス提供エリア９１内に存在した携帯端末４０だけをサービスの対象とする。
【００２９】
図６は、情報配信システム１のサービスに関するシーケンス図である。図６のシーケンスを実行する際、携帯端末４０の制御部４２は、記憶部４３に記憶されているサービスアプリケーションを実行している。
【００３０】
ステップＳ２００では、携帯端末４０の制御部４２が集音部４６を用いて、携帯端末４０の周囲環境の音声を集音して、集音音声情報を生成する。ステップＳ２０１では、携帯端末４０の制御部４２が情報配信装置２０に対して、少なくともステップＳ２００で生成した集音音声情報と、携帯端末４０の記憶部４３に記憶されている端末情報とを送信する。
【００３１】
ステップＳ２０２では、情報配信装置２０の制御部２２は、携帯端末４０の認証処理を実行する。情報配信装置２０の制御部２２は、ステップＳ２０１で携帯端末４０から送信された集音音声情報と、図５のステップＳ１０３で一時記憶した入力音声情報とを照合し、後述する方法で認証を行う。情報配信装置２０の制御部２２が携帯端末４０の認証に成功した場合、携帯端末４０は情報配信システム１のサービスのクライアントとして認識される。
【００３２】
情報配信装置２０の制御部２２は、サービスのクライアントとして認識された携帯端末４０への画像情報の配信を開始する（ステップＳ２０３）。以降、情報配信装置２０の制御部２２は、設置カメラ１０が出力している画像情報を、サービスの対象として認められた携帯端末４０へ送信する（ステップＳ２０４）。
【００３３】
図７は、図６のステップＳ２０２で実行される携帯端末４０の認証処理に関するフローチャートである。図７に示す認証処理では、情報配信装置２０の制御部２２は、周知の話者認識技術を利用する。
【００３４】
図７のステップＳ３００では、情報配信装置２０の制御部２２は、図５のステップＳ１０３で一時記憶した入力音声情報を記憶部２３から読み出す。ステップＳ３０１では、情報配信装置２０の制御部２２は、図６のステップＳ２０１で携帯端末４０から送信された集音音声情報の特徴を抽出する。ステップＳ３０２では、情報配信装置２０の制御部２２は、ステップＳ３００で読み出した入力音声情報の特徴を抽出する。
【００３５】
ステップＳ３０３では、情報配信装置２０の制御部２２は、ステップＳ３０１で抽出された集音音声情報の特徴と、ステップＳ３０２で抽出された入力音声情報の特徴とが一致するか否かを判定する。制御部２２は、ステップＳ３０１で抽出された集音音声情報の特徴とステップＳ３０２で抽出された入力音声情報の特徴とが一致した場合は処理をステップＳ３０４に進める。一方、制御部２２は、ステップＳ３０１で抽出された集音音声情報の特徴とステップＳ３０２で抽出された入力音声情報の特徴とが一致していない場合は処理をステップＳ３０５に進める。
【００３６】
ステップＳ３０４では、情報配信装置２０の制御部２２は、集音音声情報を送信した携帯端末４０を、情報配信システム１のサービスのクライアントとして認識する。ステップＳ３０５では、情報配信装置２０の制御部２２は、集音音声情報を送信した携帯端末４０を、情報配信システム１のサービスのクライアントとして認識しない。
【００３７】
以上で説明した第１の実施の形態によれば、以下の作用効果が得られる。
本発明の第１の実施の形態による情報配信システム１は、情報配信装置２０とスピーカ３０と携帯端末４０とを備える。
携帯端末４０は、集音部４６と通信インタフェース部４１と制御部４２とを備える。集音部４６は、携帯端末４０の周囲環境の音声を集音して集音音声情報を生成する。制御部４２は、通信インタフェース部４１を介して、集音部４６が生成した音声情報を情報配信装置２０へ送信し（図６のステップＳ２０１）、情報配信装置２０から画像情報を受信する（図６のステップＳ２０４）。
情報配信装置２０は、通信インタフェース部２１と制御部２２と記憶部２３とを備える。記憶部２３は、スピーカ３０に入力した音声に関する入力音声情報を記憶する（図５のステップＳ１０３）。制御部２２は、通信インタフェース部２１を介して、集音音声情報を受信し（図６のステップＳ２０１）、携帯端末４０へ画像情報を送信する（図６のステップＳ２０４）。また、制御部２２は、図６のステップＳ２０１で携帯端末４０から受信した集音音声情報と、図５のステップＳ１０３にて記憶部２３に記憶した入力音声情報とを照合して、携帯端末４０の認証を行う（図７）。
情報配信システム１は、周囲環境の音声情報を認証に用いることで、容易に所定場所に存在する複数の携帯端末を認証することができる。
【００３８】
―第２の実施の形態―
図８（ａ）は、本発明の第２の実施の形態による情報配信システムのブロック構成図である。情報配信システム２は、設置カメラ５０と、情報配信装置６０と、スピーカ７０と、携帯端末８０とを備える。情報配信システム２は、観光地、景勝地、行楽地などに設けられ、設置カメラ５０により撮影された画像情報を携帯端末８０へ配信するサービスを提供する。以降、情報配信システム２が設けられる観光地、景勝地、行楽地などのことを観光地等と略記する。
【００３９】
設置カメラ５０は、情報配信システム２が設けられる観光地等に設置される。設置カメラ５０は、例えば図８（ｂ）に示すように記念撮影がよく行われる観光名所９２等と、それら観光名所９２等の近傍にいるユーザ９３などが画角内に含まれるように設置されている。設置カメラ５０は、情報配信装置６０と有線、無線、電気通信回線などを介して接続されており、情報配信装置６０との間で情報の送受信を行う。
【００４０】
情報配信装置６０は、情報配信システム２のサービスを提供するサーバ装置である。情報配信装置６０は、例えば設置カメラ５０の設置位置の近傍に設けられている。情報配信装置６０は、設置カメラ５０、スピーカ７０、および携帯端末８０と有線、無線、電気通信回線などを介して接続されている。情報配信装置６０は、設置カメラ５０および携帯端末８０の各々との間で情報の送受信を行う。また、情報配信装置６０は、スピーカ７０に音声情報を送信する。
【００４１】
スピーカ７０は、例えば設置カメラ５０の設置位置の近傍に設置されている。スピーカ７０は、情報配信装置６０から入力される音声情報に基づいて、情報配信システム２のサービス提供エリアに音場を作る。情報配信システム２は、スピーカ７０の作った音場の範囲内に存在する携帯端末８０に対して、設置カメラ５０により撮影された画像情報を配信する。携帯端末８０がスピーカ７０の作った音場の範囲内に存在するか否かは、後述する認証処理により情報配信装置６０が判別する。
【００４２】
携帯端末８０は、情報配信システム２のサービスを利用するユーザが所有する可搬式の情報端末であって、例えばラップトップＰＣなどのパーソナルコンピュータ、携帯電話、スマートフォン、デジタルカメラ、マルチメディアプレーヤなどである。携帯端末８０は、情報配信装置６０と有線、無線、電気通信回線などを介して接続されている。情報配信装置６０には、複数個の携帯端末８０が同時に接続することができる。
【００４３】
図９は、設置カメラ５０に関するブロック構成図である。設置カメラ５０は、レンズ１１と撮像素子１２と画像処理部１３と通信インタフェース部５４と制御部５５と記憶部５６とを備える。設置カメラ５０の構成のうち第１の実施の形態の設置カメラ１０と同様の構成についてはその説明を省略する。
【００４４】
通信インタフェース部５４は、設置カメラ５０が情報配信装置６０との間で情報の送受信を行う際に用いられる。制御部５５は、ＣＰＵ、ＲＡＭ、ＲＯＭ（いずれも不図示）等を有し、ＲＯＭ等に記憶された制御プログラムをＲＡＭで実行することにより設置カメラ５０の各部の制御を行う。
【００４５】
記憶部５６は、例えばフラッシュメモリなどで構成され、設置カメラ５０に関するカメラ情報が記憶されている。カメラ情報には、設置カメラ５０の識別情報が少なくとも含まれる。また、カメラ情報には、可聴域外の周波数成分を有する音声情報が含まれる。
【００４６】
図１０は、情報配信装置６０に関するブロック構成図である。情報配信装置６０は、通信インタフェース部６１と制御部６２と記憶部６３とを備える。通信インタフェース部６１は、情報配信装置６０が設置カメラ５０、スピーカ７０、および携帯端末８０との間で情報の送受信を行う際に用いられる。制御部６２は、ＣＰＵ、ＲＡＭ、ＲＯＭ（いずれも不図示）等を有し、ＲＯＭ等に記憶された制御プログラムをＲＡＭで実行することにより、携帯端末８０の認証処理などを行う。
【００４７】
記憶部６３は、例えばハードディスク、フラッシュメモリなどで構成され、設置カメラ５０から送信された画像情報、スピーカ７０へ出力した音声情報などが記憶されている。また、記憶部６３には、カメラ情報データベース６３１が記憶されている。カメラ情報データベース６３１には、情報配信システム２に備わる設置カメラ５０のカメラ情報が予め登録されている。
【００４８】
図１１は、携帯端末８０に関するブロック構成図である。携帯端末８０は、通信インタフェース部８１と制御部８２と記憶部８３と操作部４４と表示部４５と集音部４６とを備える。携帯端末８０の構成のうち第１の実施の形態の携帯端末４０と同様の構成についてはその説明を省略する。通信インタフェース部８１は、携帯端末８０が情報配信装置６０との間で情報の送受信を行う際に用いられる。制御部８２は、ＣＰＵ、ＲＡＭ、ＲＯＭ（いずれも不図示）等を有し、ＲＯＭ等に記憶された制御プログラムをＲＡＭで実行することにより、携帯端末８０の各部の制御を行う。
【００４９】
記憶部８３は、例えばフラッシュメモリなどで構成され、情報配信装置６０から配信された画像情報、携帯端末８０に関する端末情報などが記憶されている。端末情報には、携帯端末８０の識別情報が少なくとも含まれる。また、記憶部８３には、情報配信システム２のサービスを利用するためのアプリケーションソフトウェアのプログラム（以降、第２サービスアプリケーションと称する）が予めインストールされている。
【００５０】
情報配信装置６０の制御部６２は、図５と同様の音場作成処理により、スピーカ７０を介して情報配信システム２のサービス提供エリアに音場を作る。すなわち、制御部６２が、記憶部６３から設置カメラ５０のカメラ情報を読み出して、そのカメラ情報に含まれる音声情報に基づいて入力音声情報を生成してスピーカ７０に入力する。そして、制御部６２がスピーカ７０へ出力した入力音声情報を記憶部６３に一時記憶する。
【００５１】
図１２は、情報配信システム２のサービスに関するシーケンス図である。図１２のシーケンスを実行する際、携帯端末８０の制御部８２は、記憶部８３に記憶されている第２サービスアプリケーションを実行している。
【００５２】
ステップＳ６００では、携帯端末８０の制御部８２が集音部４６を用いて、携帯端末８０の周囲環境の音声を集音して、集音音声情報を生成する。
【００５３】
ステップＳ６０１では、携帯端末８０の制御部８２が情報配信装置６０に対して、少なくともステップＳ６００で生成した集音音声情報と、携帯端末８０の記憶部８３に記憶されている端末情報とを送信する。
【００５４】
ステップＳ６０２では、情報配信装置６０の制御部６２は、携帯端末８０の認証処理を実行する。情報配信装置６０の制御部６２は、ステップＳ６０１で携帯端末８０から送信された集音音声情報と、記憶部６３に一時記憶した入力音声情報とを照合し、後述する方法で認証を行う。情報配信装置６０の制御部６２が携帯端末８０の認証に成功した場合、携帯端末８０は情報配信システム２のサービスのクライアントとして認識される。
【００５５】
情報配信装置６０の制御部６２は、サービスのクライアントとして認識された携帯端末８０へ、設置カメラ５０の使用許可情報を送信する（ステップＳ６０３）。使用許可情報には、設置カメラ５０のカメラ情報が含まれる。以降、情報配信装置６０の制御部６２は、設置カメラ５０が出力している画像情報を、携帯端末８０へ送信する（ステップＳ６０５）。
【００５６】
設置カメラ５０の使用許可情報を受信した携帯端末８０の制御部８２は、設置カメラ５０を操作するための画面を表示部４５に表示する（ステップＳ６０４）。表示部４５に表示される画面には、設置カメラ５０によるスルー画像、設置カメラ５０に静止画像の撮影を指示するボタン画像、設置カメラ５０に動画像の撮影を開始または終了を指示するボタン画像などが表示される。なお、ユーザが設置カメラ５０の設定を変更するためのプルダウンメニュー、ラジオボタン、チェックボックスなどがさらに表示されていてもよい。例えば、設置カメラ５０を用いて、パン撮影、パノラマ撮影を行うことを設定することにしてもよい。また、設置カメラ５０のズームの設定、フラッシュの設定、撮影アングルの変更を行うことにしてもよい。さらに、撮影された画像を装飾する装飾枠などの画像を合成するなどの画像処理の設定を行うことにしてもよい。
【００５７】
図１３は、図１２のステップＳ６０２で実行される携帯端末８０の認証処理に関するフローチャートである。図１３では、図７に示した第１の実施の形態における認証処理と同様の処理については、図７と同様の符号を付されている。図７と同様の処理については、それらの説明を省略する。
【００５８】
ステップＳ７０３では、情報配信装置６０の制御部６２は、周知の話者認識技術を利用して、図１３のステップＳ３０１で抽出された集音音声情報の特徴と、図１３のステップＳ３０２で抽出された入力音声情報の特徴とが一致するか否かを判定する。制御部６２は、ステップＳ３０１で抽出された集音音声情報の特徴とステップＳ３０２で抽出された入力音声情報の特徴とが一致した場合は処理をステップＳ７０４に進める。一方、制御部６２は、ステップＳ３０１で抽出された集音音声情報の特徴とステップＳ３０２で抽出された入力音声情報の特徴とが一致していない場合は処理をステップＳ７０５に進める。
【００５９】
ステップＳ７０４では、情報配信装置６０の制御部６２は、集音音声情報を送信した携帯端末８０を、情報配信システム２のサービスのクライアントとして認識する。ステップＳ７０５では、情報配信装置６０の制御部６２は、集音音声情報を送信した携帯端末８０を、情報配信システム２のサービスのクライアントとして認識しない。
【００６０】
以上で説明した第２の実施の形態によれば、以下の作用効果が得られる。
本発明の第２の実施の形態による情報配信システム２は、情報配信装置６０とスピーカ７０と携帯端末８０とを備える。
携帯端末８０は、集音部４６と通信インタフェース部８１と制御部８２とを備える。集音部４６は、携帯端末４０の周囲環境の音声を集音して集音音声情報を生成する。制御部８２は、通信インタフェース部８１を介して、集音部４６が生成した音声情報を情報配信装置６０へ送信し（図１２のステップＳ６０１）、情報配信装置６０から画像情報や設置カメラ５０の使用許可情報を受信する（図１２のステップＳ６０３、ステップＳ６０５）。
情報配信装置６０は、通信インタフェース部６１と制御部６２と記憶部６３とを備える。記憶部６３は、スピーカ７０に入力した音声に関する入力音声情報を記憶する。制御部６２は、通信インタフェース部６１を介して、集音音声情報を受信し（図１２のステップＳ６０１）、携帯端末８０へ設置カメラ５０の使用許可情報や画像情報を送信する（図１２のステップＳ６０４）。また、制御部６２は、図１２のステップＳ６０１で携帯端末８０から受信した集音音声情報と、記憶部２３に記憶されている入力音声情報とを照合して、携帯端末４０の認証を行う（図１３）。
情報配信システム２は、周囲環境の音声情報を認証に用いることで、容易に所定場所に存在する複数の携帯端末を認証することができる。
【００６１】
以上で説明した実施の形態は、以下のように変形して実施できる。
（変形例１）
上記の実施の形態による情報配信装置は、集音音声情報と入力音声情報との話者認識により携帯端末の認証を行った。しかし、情報配信装置は、二つの音声情報以外の情報を更に用いて、携帯端末の認証に設けてもよい。
【００６２】
例えば、携帯端末が情報配信システムのサービス提供範囲内に存在するか否かに基づいて、携帯端末の認証を行うことにしてもよい。例えば、携帯端末がＧＰＳ受信部を有する場合は、携帯端末が存在する位置をＧＰＳ情報に基づいて判断することにしてもよい。また、携帯端末が無線ＬＡＮ等により情報配信装置と接続している場合は、携帯端末とアクセスポイントとの距離を受信信号強度、伝播遅延等に基づいて算出して、携帯端末が存在する位置を周知の三角測量により算出することにしてもよい。また、携帯端末と情報配信装置との間の距離を、通信の遅延時間に基づいて推定することにしてもよい。このように、携帯端末が存在する位置を用いて携帯端末の認証を行うことにより、情報配信システムを設けた施設の構造に適したサービスを提供することができる。例えば、情報配信システム１が設けられたスタジアムにおいて、スピーカ３０の出力音声がスタジアムの外部に漏れてしまう場合、携帯端末４０の位置に基づいてスタジアムの外部にいるか否かを判定して、スタジアムの外部に存在する携帯端末４０によるサービス利用を制限することにしてもよい。情報配信システムのサービス利用における制限とは、解像度やフレームレートの低下、課金などである。
【００６３】
（変形例２）
情報配信システムは、スピーカから出力された音声を集音する第２の集音部をさらに備えることにしてもよい。第２の集音部は、例えばスピーカの近傍に設けることにすればよい。情報配信装置は、第２の集音部が集音した音声情報に基づいて、スピーカにより入力音声情報に基づいた音場が作られていることをモニタリングすることができる。また、情報配信装置は、ステップＳ３００において、第２の集音部が集音した音声情報を、情報配信装置の記憶部に一時記憶した入力音声情報の代わりに取得することにしてもよい。またそのとき、情報配信装置は、ステップＳ３０２において、第２の集音部が集音した音声情報の特徴を、入力音声情報の特徴の代わりに抽出することが好ましい。そして、ステップＳ３０３、Ｓ７０３において、ステップＳ３０１で抽出した集音性情報の特徴と、第２の集音部が集音した音声情報の特徴とが一致したか否かを判定することが好ましい。
【００６４】
また、第２の集音部が集音した音声情報に基づいて情報配信装置のサービス提供エリアが無音であるか否かを判定して、無音でない場合は第２の集音部が集音した音声情報の特徴と携帯端末から送信された集音音声情報の特徴とが一致したか否かを判定することにしてもよい。このようにすることで、リアルタイムに変化する環境音を用いた認証を実現できる。
【００６５】
（変形例３）
上記の実施の形態では、情報配信装置がスピーカに入力音声情報を出力したが、図１４に示す情報配信システム３のように設置カメラ５０が入力音声情報をスピーカ７０に出力することにしてもよい。図１４の設置カメラ５０は、通信インタフェース部５４を介してスピーカ７０へ音声情報を送信する。
【００６６】
図１５は、情報配信システム３のサービス提供エリアに音場を作るための音場作成処理に関するシーケンス図である。ステップＳ１１００では、制御部５５は、記憶部５６に記憶されているカメラ情報の音声情報に基づいて、スピーカ７０への入力音声情報を生成する。ステップＳ１１０１では、制御部５５は、ステップＳ１１００で生成した入力音声情報を、通信インタフェース部５４を介してスピーカ７０へ出力する。ステップＳ１１０２では、制御部５５は、ステップＳ１１００で生成した入力音声情報を、通信インタフェース部５４を介して情報配信装置６０へ送信する。ステップＳ１１０３では、スピーカ７０が入力音声情報に応じた音声を出力する。ステップＳ１１０４では、情報配信装置６０の制御部６２は、ステップＳ１１０２で受信した入力音声情報を、記憶部６３に一時記憶する。記憶部６３に一時記憶された入力音声情報は、所定時間経過後に削除される。記憶部６３に一時記憶された入力音声情報は、携帯端末８０の認証処理に用いられる。情報配信システム３では、サービスを提供している間、図１５のシーケンスが繰り返し実行される。
【００６７】
（変形例４）
設置カメラ１０および５０が出力する画像情報はそれぞれ、情報配信装置２０および６０を介して携帯端末４０および８０へ配信されたが、設置カメラ１０および５０から携帯端末４０および８０へ直接配信することにしてもよい。また、情報配信装置２０および６０の代わりに、図７や図１３に示す認証処理を、設置カメラ１０および５０が実行することにしてもよい。
【００６８】
（変形例５）
上記の実施の形態で用いた携帯端末の認証方法は、ユーザが所有する携帯端末間の情報共有にも応用できる。例えば、ユーザが所有するデジタルカメラを、情報配信装置に設置カメラとして新たに登録できるようにして、そのデジタルカメラから出力される画像情報を、携帯端末に配信することにしてもよい。
【００６９】
ユーザのデジタルカメラを設置カメラとして登録した場合、情報配信装置はそのデジタルカメラの位置、設定、被写体、バッテリ残量などに基づいて、画像情報の配信を制限することにしてもよい。例えば、デジタルカメラの位置が私有地に存在する場合は、プライバシー保護の観点から画像情報の配信を停止や、ズーム操作の禁止などの制限を行ってもよい。例えば、デジタルカメラが人物写真を撮るための撮影モード（例えば、ポートレート）に設定されている場合は、画像情報の配信を停止することにしてもよい。例えば、画像情報の中に人の顔がある場合は、画像情報の配信を停止や、モザイク処理などの制限を行ってもよい。例えば、デジタルカメラのバッテリ残量が少ない場合は、画像情報の配信を停止することにしてもよい。
【００７０】
（変形例６）
上記の実施の形態では、スピーカ３０および７０は、情報配信システム１および２に備わる独立した構成物品として説明したが、情報配信装置２０もしくは６０、または設置カメラ１０もしくは５０を構成する一部品であってもよい。
【００７１】
（変形例７）
上記の実施の形態による情報配信システムは、設置カメラが出力した画像情報を、携帯端末に配信したが、画像情報以外の情報を携帯端末へ送信してもよい。例えば、観光地等の案内を行うテキスト情報や音声情報、施設９０で開催されているイベントに関する情報などを携帯端末へ送信することにしてもよい。
【００７２】
（変形例８）
上記の実施の形態では、情報配信システム１および２が提供するサービスを利用する際の利用料の課金方法について言及されていないが、各サービスの一部または全体を有料として、任意の課金方式を用いて課金することにしてもよい。
【００７３】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００７４】
１，２，３  情報配信システム
１０，５０  設置カメラ
２０，６０  情報配信装置
３０，７０  スピーカ
４０，８０  携帯端末
【図１】
2014146263.tif 000003
【図２】
2014146263.tif 000004
【図３】
2014146263.tif 000005
【図４】
2014146263.tif 000006
【図５】
2014146263.tif 000007
【図６】
2014146263.tif 000008
【図７】
2014146263.tif 000009
【図８】
2014146263.tif 000010
【図９】
2014146263.tif 000011
【図１０】
2014146263.tif 000012
【図１１】
2014146263.tif 000013
【図１２】
2014146263.tif 000014
【図１３】
2014146263.tif 000015
【図１４】
2014146263.tif 000016
【図１５】
2014146263.tif 000017